(57)【特許請求の範囲】
【請求項１】
銅と亜鉛の合金を繊維状にした銅亜鉛合金ファイバと、銅を繊維状にした銅ファイバとで構成され、前記銅亜鉛合金ファイバがボール状に丸められ、このボール状の表面を覆うように前記銅ファイバの層が設けられている金属ファイバを有し、
前記金属ファイバが駆除対象の水中有害動物の生息する水の中に設置され、前記銅亜鉛ファイバから銅イオン及び亜鉛イオンが溶け出し、前記銅ファイバから銅イオンが溶け出し、溶け出た前記銅イオン及び前記亜鉛イオンが作用して前記水中有害動物を駆除することを特徴とする水中有害動物の駆除具。
【発明の詳細な説明】
【技術分野】
【０００１】
水中に生息する有害動物を駆除するための駆除具に関する。
【背景技術】
【０００２】
従来から、水田などに生息し水稲の苗を食べてしまうスクミリンゴガイや、各種の水利施設で大発生し、通水障害や水質の悪化をもたらすカワヒバリガイによる被害が問題になっている。この他、貯水タンクや公園の池等に生息するボウフラが羽化して蚊が大発生し、蚊を媒介して感染症が広まる危険性がある。
【０００３】
従来、特許文献１に開示されているように、スクミリンゴガイを駆除する方法として、カルタップ粒剤や石灰窒素等の農薬を施用する方法や、樹脂酸を有効成分として含有する駆除剤を施用する方法があった。
【０００４】
また、特許文献２に開示されているように、銅と亜鉛の合金または銅からなる金属繊維を通水性のある充填容器に充填した水質改善装置があった。この水質改善装置をタンク等の水の中に設置すると、金属繊維から溶出する銅イオン及び亜鉛イオンの酸化還元作用により、藻類の発生を抑え、ボウフラが羽化しなくなる等の効果が得られると記載されている。
【先行技術文献】
【特許文献】
【０００５】
【特許文献１】特開２００３−２３８３１２号公報
【特許文献２】特開２０１２−２３９９３８号公報
【発明の概要】
【発明が解決しようとする課題】
【０００６】
しかし、スクミリンゴガイを駆除する場合、特許文献１に記載されているように農薬を施用すると、メダカやフナ等の無害な動物も死なせてしまうおそれがある。さらに、農薬が水稲に吸収されることから、人の食物の安全性を確保するため、農薬の施用量が制限されるので、確実な駆除効果を期待しにくいものである。
【０００７】
特許文献1の発明の樹脂酸を配合した駆除剤は、天然物由来の成分であっても毒性を有する場合があり、しかも樹脂酸が疎水性であるので溶剤や界面活性剤、乳化剤等により水溶性にして使用する必要があり、溶剤等の添加剤の毒性もあることから、人や有用生物に害を与える可能性がある。
【０００８】
また、特許文献２の水質改善装置は、ボウフラを羽化させない等の作用は得られるものの、その効果は十分ではなく、より確実にボウフラを死滅させることができる駆除具が求められていた。
【０００９】
本発明は、上記背景技術に鑑みて成されたものであり、特定の有害動物を効果的に駆除することができ、他の動物や人に害を与えない水中有害動物の駆除具を提供することを目的とする。
【課題を解決するための手段】
【００１０】
本発明は、銅と亜鉛の合金を繊維状にした銅亜鉛合金ファイバを含む金属ファイバを有し、前記金属ファイバが駆除対象の水中有害動物である巻貝又は二枚貝が生息する水の中に設置され、前記銅亜鉛ファイバから銅イオン及び亜鉛イオンが溶け出し、溶け出した前記銅イオン及び前記亜鉛イオンの作用により前記巻貝又は二枚貝を駆除する水中有害動物の駆除具である。
【００１１】
前記銅亜鉛合金ファイバは、銅と亜鉛の配合質量比が８０：２０〜６０：４０である。前記銅亜鉛合金ファイバは、断面の直径が６０〜２００μｍである。さらに、前記銅亜鉛合金ファイバの集合体を、袋状の網体に収容して成るものである。
【００１２】
特に本発明は、銅と亜鉛の合金を繊維状にした銅亜鉛合金ファイバと、銅を繊維状にした銅ファイバとで構成され、前記銅亜鉛合金ファイバがボール状に丸められ、このボール状の表面を覆うように前記銅ファイバの層が設けられている金属ファイバを有し、前記金属ファイバが駆除対象の水中有害動物の生息する水の中に設置され、前記銅亜鉛ファイバから銅イオン及び亜鉛イオンが溶け出し、前記銅ファイバから銅イオンが溶け出し、溶け出した前記銅イオン及び前記亜鉛イオンの作用により前記水中有害動物を駆除する水中有害動物の駆除具である。前記水中有害動物は、ボウフラである。
【発明の効果】
【００１３】
本発明の水中有害動物の駆除具によれば、スクミリンゴガイを含む巻貝、カワヒバリガイを含む二枚貝、蚊の幼虫であるボウフラ等を簡単かつ確実に駆除させることができ、他の作物や養殖魚等の有用生物に害を与えないものである。また、銅及び亜鉛は、人体に必須の栄養元素であり、しかも、金属ファイバから水中に溶け出す銅イオンや亜鉛イオンの量は、銅と亜鉛のイオン化傾向の差や銅表面の酸化等による制約によって制限されるので、人に害を与えるおそれがない。
【図面の簡単な説明】
【００１４】
【図１】本発明の第一の実施形態の水中有害動物の駆除具を水田の水の中に設置した状態を示す図である。
【図２】本発明の第二の実施形態の水中有害動物の駆除具を、貯水タンクの水の中に設置した状態を示す図（ａ）、金属ファイバの内部構造を示す図（ｂ）である
【発明を実施するための形態】
【００１５】
以下、本発明の水中有害動物の駆除具の第一の実施形態について、図１に基づいて説明する。この実施形態の駆除具１０は、水田に生息するスクミリンゴガイ等の巻貝を駆除するものである。
【００１６】
駆除具１０は、銅と亜鉛の合金を繊維状にした金属ファイバである銅亜鉛合金ファイバ１２のファイバの集合体を有している。銅亜鉛合金ファイバ１２は、銅と亜鉛の質量配合比が８０：２０〜６０：４０程度、好ましくは７０：３０〜６５：３５である。亜鉛の割合が上記より少ないと、銅イオンが多くなることによる有用生物への害があり、亜鉛の割合が上記より多いと合金が硬すぎてファイバ状に形成することが難しいからである。銅亜鉛合金ファイバ１２の直径は、６０〜２００μｍ、好ましくは８０〜１００μｍである。この程度の直径にすることで、単位体積当たりの表面積が大きくなり、水中に設置されたときに水との接触面積が大きくなって、銅イオンや亜鉛イオンが溶出しやすくなる。また、使用者等が取り扱う際に、ファイバが刺さりにくく、手を傷つけにくい。銅亜鉛合金ファイバ１２の量は、適宜設定可能であるが、水１０００リットルに対して２５０〜３５０ｇ程度で効果が確認されている。銅亜鉛合金ファイバ１２は、合成樹脂製又は金属製の袋状の網体１４に収容され、駆除具１０となる。
【００１７】
駆除具１０の設置方法は、図１に示すように、水田の水１６の給水部側の水中に浸漬するだけでよく、例えば、イオンを発生させるための電気分解装置等の特別な設備は不要である。このまま放置しておくと、銅亜鉛合金ファイバ１２から銅イオン及び亜鉛イオンが徐々に溶け出し、数日のうちにイオン濃度が所望の値、例えば、銅イオン濃度が約０．００１ｐｐｍ、亜鉛イオン濃度は約０．０１ｐｐｍとなる。銅イオン及び亜鉛イオンは、巻貝の体内に取り込まれて互いに協働し、巻貝が代謝に関わる蛋白質を取り込もうとする機能を失わせる。そして、設置してから２週間程で、有害な巻貝をほぼ完全に死滅させることができる。なお、発明者が行った実験では、水１６に溶け出すのが亜鉛イオンだけの場合は、スクミリンゴガイを死滅させる効果が弱くなり、反対に水１６に溶け出すのが銅イオンだけの場合は、一定のイオン濃度を超えると、他の無害な動物に悪影響が出るおそれがあることが確認されている。
【００１８】
以上説明したように、巻貝用の駆除具１０は、水田の水１６の中に浸漬して放置するだけで、水田に生息するスクミリンゴガイ等の有害な巻貝を簡単かつ確実に死滅させることができる。特に、銅亜鉛合金ファイバ１２の銅と亜鉛の配合比や繊維の直径が適切な値に設定されているので、水１６の銅イオン及び亜鉛イオンの濃度が自動的に好適な値になり、有害な巻貝を効果的に死滅させることができる。さらに、巻貝用の駆除具１０の銅亜鉛合金ファイバ１２の亜鉛は、対象水の量や水流によって一定のイオン化を持続するが、その表面の亜鉛の一部が抜けて行くに連れて、残った銅の部分の割合が多くなり、銅表面が酸化皮膜に覆われ、水中へのイオン溶出が漸減する。銅は亜鉛に比べてイオン化しにくいので、皮膜に閉じ込められると、さらに溶け続けることが難しくなる。このことにより、銅が溶け続けて銅イオン濃度が累積的に上昇し、環境中の水棲生物に悪影響を与えることがないものである。
【００１９】
なお、駆除具１０は、カワヒバリガイ等の有害な二枚貝の駆除にも適している。カワヒバリガイは、水を流す水路等の壁に付着するので、駆除具１０を水路等の壁面近傍に設置するとよい。この場合、銅亜鉛合金ファイバ１２の量は、水流量１リットル／分に対して５〜１５ｇ程度でも良く、水路に生息する有害なカワヒバリガイ等を簡単かつ確実に死滅させることができる。
【００２０】
次に、本発明の水中有害動物の駆除具の第二の実施形態について、図２に基づいて説明する。ここで、上記実施形態と同様の構成は、同一の符号を付して説明を省略する。この実施形態の駆除具１８は、貯水タンク等に生息するボウフラを死滅させ、羽化して蚊が発生するのを防止するものである。
【００２１】
駆除具１８は、上記の銅亜鉛合金ファイバ１２と、銅を繊維状にした銅ファイバ２０とで構成された金属ファイバ２２を有している。銅ファイバ２０は、繊維の直径が６０〜２００μｍ、好ましくは８０〜１００μｍであり、上記実施形態の場合と同様に、水中に設置されたときに水との接触面積が適度に大きくなって銅イオンが溶け出しやすくなり、また、使用者等が取り扱う際に手を傷つけにくい。
【００２２】
金属ファイバ２２は、図２（ｂ）に示すように、銅亜鉛合金ファイバ１２がボール状に隙間を有して丸められ、このボール状の表面を覆うように銅ファイバ２０の層が設けられ、全体としてボール状に形成される。金属ファイバ２２は、合成樹脂製又は金属製の袋状の網体１４に収容され、駆除具１８となる。
【００２３】
駆除具１８の設置方法は、図２（ａ）に示すように、貯水タンクの水２４の中に浸漬するだけでよい。このまま放置すると、銅亜鉛合金ファイバ１２から銅イオン及び亜鉛イオンが徐々に溶け出し、銅ファイバ２０から銅イオンが徐々に溶け出し、数日のうちに、銅イオンと亜鉛イオンの濃度が適切な値（ボウフラを効果的に死滅させ、しかも他の無害な動植物に悪影響を及ぼさない値）になる。そして、設置してから２週間程でボウフラをほぼ完全に死滅させることができる。
【００２４】
駆除具１８は、ボール状に丸めた銅亜鉛合金ファイバ１２を覆うように銅ファイバ２０の層が設けられているので、特許文献２に開示された水質改善装置のように、銅亜鉛合金ファイバだけで構成しているものと比較して、同体積の場合、銅イオンの濃度を適度に高くすることができ、ボウフラを死滅させる効果を格段に向上させることができる。
【００２５】
なお、本発明の水中有害動物の駆除具は、上記実施形態限定されるものではない。例えば、上記駆除具１０，１８は、袋状の網体１４に収容して水中に設置する構造であるが、網体１４に代えて、カゴ等の通水性のある容器に収容してもよい。また、必要に応じて網体等を省略し、金属ファイバ単体や銅や銅亜鉛合金の粉体や粒状体、針状体を水中に配置する構造にしてもよい。
【００２６】
また、本発明の水中有害動物の駆除具は、特にスクミリンゴガイ、カワヒバリガイ（及びボウフラ）の駆除に適していることが実験で確認されているが、その他の巻貝又は二枚貝の駆除に使用した場合でも、同様の作用により十分な効果が得られる。さらに、亜鉛イオン、銅イオンの有害動物駆除機能を利用して、これらのイオンを含有する水を、有害動物が棲息する領域に散布することも、有効な利用法である。対象とする有害動物は、貝類以の水棲動物や、地上の無脊椎動物等にも適用可能である。
【符号の説明】
【００２７】
１０  巻貝用の駆除具
１２  銅亜鉛合金ファイバ
１４  網体
１６，２４  水
１８  ボウフラ用の駆除具
２０  銅ファイバ
２２  金属ファイバ
【図１】
0006375262.tif 000002
【図２】
0006375262.tif 000003